(57)【要約】【課題】  コマーシャルをユーザに提供するための新しい形態を実現する。【解決手段】  コンテンツデータと、前記コンテンツデータに関連付けられた３Ｄデータとを受信する受信部（２、３）と、前記受信したコンテンツデータおよび３Ｄデータを記録する記録部（５）と、ユーザの操作を契機とした選択信号の入力を受け付けて、前記記録されたコンテンツデータまたは３Ｄデータのいずれか一方を再生する再生部（８、９ａ、９ｂ）と、前記再生されたコンテンツデータまたは３Ｄデータを表示装置へ送出するコンテンツ送出部（１０）と、を備える。【選択図】  図１
2006303610.tif 000002
【特許請求の範囲】
【請求項１】
コンテンツデータと、前記コンテンツデータに関連付けられた３Ｄデータとを受信する受信部と、
前記受信したコンテンツデータおよび３Ｄデータを記録する記録部と、
ユーザの操作を契機とした選択信号の入力を受け付けて、前記記録されたコンテンツデータまたは３Ｄデータのいずれか一方を再生する再生部と、
前記再生されたコンテンツデータまたは３Ｄデータを表示装置へ送出するコンテンツ送出部と、を備えることを特徴とする記録再生装置。
【請求項２】
前記受信部は、前記コンテンツデータと前記３Ｄデータとをそれぞれ異なる帯域で受信することを特徴とする請求項１記載の記録再生装置。
【請求項３】
前記記録部は、前記コンテンツデータの再生開始時間から再生終了時間までのうちの一部の時間帯または全部の時間帯を示す時間情報と、前記時間帯に対応する３Ｄデータとから構成されるテーブルを有することを特徴とする請求項１または請求項２記載の記録再生装置。
【請求項４】
前記再生部は、前記コンテンツデータ再生中の前記時間帯に、前記３Ｄデータを選択し得ることを報知するための報知データを前記コンテンツデータと共に再生することを特徴とする請求項３記載の記録再生装置。
【請求項５】
前記再生部は、
前記コンテンツデータ再生中であって前記時間帯に、前記３Ｄデータの選択を示す選択信号が入力されたときは、前記コンテンツデータの再生を一時中止し、その時間帯に対応する３Ｄデータを再生する一方、
前記３Ｄデータ再生中に、前記コンテンツデータの選択を示す選択信号が入力されたとき、または前記３Ｄデータの再生が終了したときは、再生を一時中止した前記コンテンツデータの再生を再開することを特徴とする請求項３または請求項４記載の記録再生装置。
【請求項６】
コンテンツデータと、前記コンテンツデータに関連付けられた３Ｄデータとをそれぞれ異なる帯域で請求項１から請求項５のいずれかに記載の記録再生装置に対して送信することを特徴とするサーバ装置。
【請求項７】
請求項１から請求項５のいずれかに記載の記録再生装置と、請求項６記載のサーバ装置とから構成されることを特徴とするＶＯＤシステム。
【発明の詳細な説明】
【技術分野】
【０００１】
本発明は、コンテンツデータと、そのコンテンツデータに関連付けられた３Ｄデータとを切替えて表示することが可能な記録再生装置、サーバ装置およびＶＯＤシステムに関する。
【背景技術】
【０００２】
従来、例えば、特開２００５−６１１４号公報には、３次元画像を含む放送データを送信する放送データ送信装置が提案されている。この放送データ送信装置は、番組配列情報としてのＰＭＴ（Ｐｒｏｇｒａｍ  Ｍａｐ  Ｔａｂｌｅ）および、ＥＩＴ（Ｅｖｅｎｔ  Ｉｎｆｏｒｍａｔｉｏｎ  Ｔａｂｌｅ）を作成する機能を有する。すなわち、この放送データ送信装置は、ＰＭＴを作成するＰＭＴ作成手段と、ＥＩＴを作成するＥＩＴ作成手段を含む構成を採る。ＰＭＴ作成手段は、チャンネルを構成するビデオデータやオーディオデータなどのストリームを、放送データの中から分離するためのＰＩＤを含むストリーム情報に基づいてＰＭＴを作成する。ＥＩＴ作成手段は、コンテンツの放送時間帯を示す番組時間情報を含む番組情報や、番組に３Ｄ画像が含まれている場合、番組情報の他に、３Ｄ固有情報が入力され、ＥＭＴを作成する。
【０００３】
ここで、ＰＭＴとは、放送データの中からチャンネルを構成するビデオデータやオーディオデータなどを分離するためのＰＩＤ（Ｐａｃｋｅｔ  ＩＤ）などのストリーム情報を含み、同じチャンネル内のコンテンツで共通する番組配列情報である。ＰＭＴは、同じチャンネル内のコンテンツで共通の番組配列情報であるため、頻繁に更新されないという特徴がある。また、ＥＩＴとは、チャンネルに含まれる各コンテンツの放送時間帯を示す番組時間情報などの番組情報を含み、コンテンツ毎に異なる固有の情報を１つまたは複数のコンテンツ分だけ含む番組配列情報である。ＥＩＴは、コンテンツ毎に異なる固有の情報であるため、頻繁に更新されるという特徴がある。これらの番組配列情報は、受信機におけるチャンネルの切り替えがどの時点で行われても対応できるように、放送データ中に繰り返し多重化されて送信される。
【０００４】
また、３Ｄ画像とは、視差のある複数の画像の組により構成される画像であり、左眼画像と右眼画像の２つの視点に対応する画像を、横並びに配置した画像である。３Ｄコンテンツとは、コンテンツ中に３Ｄ画像からなるビデオデータやデータ放送用データを含むコンテンツのことである。
【０００５】
このような放送データ送信装置は、３Ｄコンテンツを送信する際、３Ｄコンテンツに含まれる３Ｄ画像の３Ｄ画像制御情報を、番組配列情報に格納して送信するものである。この３Ｄ画像制御情報とは、３Ｄ画像の特徴を示す２視点や横並びといった情報や、３Ｄ画像の表示を制御する際に用いる情報である。送信の際、３Ｄ画像制御情報の中でも、同じチャンネル内に含まれる３Ｄコンテンツで共通であり、頻繁に更新されない情報をＰＭＴに格納し、３Ｄコンテンツ毎に固有であり、頻繁に更新される情報をＥＩＴに格納し、３Ｄコンテンツと多重して繰り返し送信する。ＰＭＴやＥＩＴは、例えば約１秒に１回の割合で送信するというように、それぞれある一定の時間毎に送信してもよいし、また、例えばビデオデータのキーフレームを送信する時にＰＭＴやＥＩＴも送信するというように、送信するビデオデータを構成するフレームの種別と同期させて送信してもよいこととされている。
【特許文献１】特開２００５−６１１４号公報
【発明の開示】
【発明が解決しようとする課題】
【０００６】
近年、ＨＤ・ＤＶＤレコーダおよび録画機能を有するパーソナルコンピュータの普及は目覚しいものがある。これらの録画装置には、ビデオテープのような機能の制限がなく、ＥＰＧ（Ｅｌｅｃｔｒｉｃ  Ｐｒｏｇｒａｍ  Ｇｕｉｄｅ）やキーワード予約など、利便性の高い機能が搭載されていることも普及した理由の一つとなっている。
【０００７】
しかしながら、これらの録画装置は、データを編集する機能が充実していることから、録画された番組に付随しているコマーシャルデータがユーザによって削除され、広告効果が得られない可能性がある。このような状況下では、スポンサーである企業のコマーシャルデータを配信する見返りとして広告料収入を得るＴＶのビジネスモデルが破綻してしまう恐れがある。
【０００８】
本発明は、このような事情に鑑みてなされたものであり、コマーシャルをユーザに提供するための新しい形態を実現する記録再生装置、サーバ装置およびＶＯＤシステムを提供することを目的とする。
【課題を解決するための手段】
【０００９】
（１）上記の目的を達成するために、本発明は、以下のような手段を講じた。すなわち、本発明に係る記録再生装置は、コンテンツデータと、前記コンテンツデータに関連付けられた３Ｄデータとを受信する受信部と、前記受信したコンテンツデータおよび３Ｄデータを記録する記録部と、ユーザの操作を契機とした選択信号の入力を受け付けて、前記記録されたコンテンツデータまたは３Ｄデータのいずれか一方を再生する再生部と、前記再生されたコンテンツデータまたは３Ｄデータを表示装置へ送出するコンテンツ送出部と、を備えることを特徴としている。
【００１０】
このように、コンテンツデータと、そのコンテンツデータに関連付けられた３Ｄデータとを受信して記録し、コンテンツデータまたは３Ｄデータのいずれか一方を再生するので、コマーシャルを３Ｄデータで構成することによって、新しい態様のコマーシャルを実現することができる。３Ｄデータは、通常のビデオデータと比較して、データ量が小さいため、わずかな帯域で送受信が可能である。また、３Ｄデータでは、アニメーション、テキスト、サウンドなどの情報を組み込むことができるので、ユーザ（視聴者）に対し、十分な情報を提供することが可能である。また、従来から、コマーシャルは不特定多数のユーザに対して提供されていたが、ユーザの操作を契機とした選択信号に基づいてコンテンツデータまたは３Ｄデータのいずれか一方が選択されるので、コマーシャルの情報を必要と考えたユーザに対してコマーシャルを提供することができる。
【００１１】
（２）また、本発明に係る記録再生装置において、前記受信部は、前記コンテンツデータと前記３Ｄデータとをそれぞれ異なる帯域で受信することを特徴としている。
【００１２】
このように、コンテンツデータと３Ｄデータとをそれぞれ異なる帯域で受信するので、３Ｄデータを、放送の隙間となって空いている帯域を利用して、コンテンツデータと共に送信されたものを取得することができる。これにより、番組とコマーシャルとを一体化させることができる。使用帯域については、例えば、現時点では、文字放送の帯域を用いて３Ｄデータを送信し、受信部で受信することによって、従来のシステムに大きな改変を加えることなく、本発明を実現することが可能である。
【００１３】
（３）また、本発明に係る記録再生装置において、前記記録部は、前記コンテンツデータの再生開始時間から再生終了時間までのうちの一部の時間帯または全部の時間帯を示す時間情報と、前記時間帯に対応する３Ｄデータとから構成されるテーブルを有することを特徴としている。
【００１４】
このように、テーブルを有するので、記録部において、コンテンツデータの一部または全部の再生時間帯に対応する３Ｄデータを関連付けて記録することができる。例えば、ある時間帯では３ＤデータＡが再生可能であるように関連付けて記録され、コンテンツデータ再生中に、その時間帯で３ＤデータＡが選択された場合は、記録部から３ＤデータＡが読み出されて再生されることとなる。これにより、記録および読み出しを簡易かつ迅速に行なうことが可能となる。
【００１５】
（４）また、本発明に係る記録再生装置において、前記再生部は、前記コンテンツデータ再生中の前記時間帯に、前記３Ｄデータを選択し得ることを報知するための報知データを前記コンテンツデータと共に再生することを特徴としている。
【００１６】
このように、コンテンツデータ再生中の上記時間帯に、３Ｄデータを選択し得ることを報知するための報知データをコンテンツデータと共に再生するので、ユーザに対して、現在画面で表示しているものと関連のある３Ｄデータ（コマーシャル）が存在することを知らしめることができる。これにより、コンテンツの内容に興味を持ったユーザに対して、ユーザの意思に基づいたコマーシャル情報を提供することが可能となる。これにより、従来とは異なる新しいコマーシャルの提供形態を実現することが可能となる。
【００１７】
（５）また、本発明に係る記録再生装置において、前記再生部は、前記コンテンツデータ再生中であって前記時間帯に、前記３Ｄデータの選択を示す選択信号が入力されたときは、前記コンテンツデータの再生を一時中止し、その時間帯に対応する３Ｄデータを再生する一方、前記３Ｄデータ再生中に、前記コンテンツデータの選択を示す選択信号が入力されたとき、または前記３Ｄデータの再生が終了したときは、再生を一時中止した前記コンテンツデータの再生を再開することを特徴としている。
【００１８】
この構成により、コンテンツデータと、いわゆる裏番組として存在する３Ｄデータとを切替えて再生することができる。その結果、コンテンツの内容に興味を持ったユーザに対して、ユーザの意思に基づいたコマーシャル情報を提供することが可能となる。これにより、従来とは異なる新しいコマーシャルの提供形態を実現することが可能となる。
【００１９】
（６）また、本発明に係るサーバ装置は、コンテンツデータと、前記コンテンツデータに関連付けられた３Ｄデータとをそれぞれ異なる帯域で請求項１から請求項５のいずれかに記載の記録再生装置に対して送信することを特徴としている。
【００２０】
このように、コンテンツデータと３Ｄデータとをそれぞれ異なる帯域で送信するので、３Ｄデータを、放送の隙間となって空いている帯域を利用して、コンテンツデータと共に送信することができる。例えば、現時点では、文字放送の帯域を用いて３Ｄデータを送信することによって、従来のシステムに大きな改変を加えることなく、本発明を実現することが可能である。
【００２１】
（７）また、本発明に係るＶＯＤシステムは、請求項１から請求項５のいずれかに記載の記録再生装置と、請求項６記載のサーバ装置とから構成されることを特徴としている。
【００２２】
この構成により、コマーシャルを３Ｄデータで構成することによって、新しい態様のコマーシャルを実現することができる。
【発明の効果】
【００２３】
本発明に係る記録再生装置によれば、コンテンツデータと、そのコンテンツデータに関連付けられた３Ｄデータとを受信して記録し、コンテンツデータまたは３Ｄデータのいずれか一方を再生するので、コマーシャルを３Ｄデータで構成することによって、新しい態様のコマーシャルを実現することができる。３Ｄデータは、通常のビデオデータと比較して、データ量が小さいため、わずかな帯域で送受信が可能である。また、３Ｄデータでは、アニメーション、テキスト、サウンドなどの情報を組み込むことができるので、ユーザ（視聴者）に対し、十分な情報を提供することが可能である。また、従来から、コマーシャルは不特定多数のユーザに対して提供されていたが、ユーザの操作を契機とした選択信号に基づいてコンテンツデータまたは３Ｄデータのいずれか一方が選択されるので、コマーシャルの情報を必要と考えたユーザに対してコマーシャルを提供することができる。
【００２４】
また、本発明に係るサーバ装置によれば、コンテンツデータと３Ｄデータとをそれぞれ異なる帯域で送信するので、３Ｄデータを、放送の隙間となって空いている帯域を利用して、コンテンツデータと共に送信することができる。例えば、現時点では、文字放送の帯域を用いて３Ｄデータを送信することによって、従来のシステムに大きな改変を加えることなく、本発明を実現することが可能である。
【００２５】
また、本発明に係るＶＯＤシステムによれば、コマーシャルを３Ｄデータで構成することによって、新しい態様のコマーシャルを実現することができる。
【発明を実施するための最良の形態】
【００２６】
次に、本発明の実施の形態について、図面を参照しながら説明する。図１は、本実施の形態に係る記録再生装置の概略構成を示すブロック図である。記録再生装置１は、ＲＦ入力部２から信号を入力する。チューナ部３は、ＱＡＭ／ＩＰ変換を行なうＱＡＭ／ＩＰ変換部３ａと、地上波、ＢＳ、ＣＳ、ＣＳＴＶなどの信号を選択するテレビチューナ３ｂとを備えている。
【００２７】
本実施の形態では、サーバ装置から、記録再生装置に対して、コンテンツデータと３Ｄデータとが異なる帯域で送信される。例えば、コンテンツデータは通常の放送番組を送信する場合に使用される帯域を使用し、３Ｄデータは、例えば、文字放送で番組を送信する場合に使用される帯域を使用する。このように、文字放送などで使用されている帯域で３Ｄデータを送信することにより、わずかに空いている帯域を有効に活用することが可能となる。
【００２８】
抽出部４ａは、チューナ部３から３Ｄデータおよび関連付けＤＢデータを抽出する。関連付けＤＢデータとは、コンテンツデータを構成する要素データと、その要素データのそれぞれに対応する３Ｄデータとを時間情報に基づいて関連付けたデータである。ＭＰＥＧエンコーダ４ｂは、チューナ部３から出力されたコンテンツデータを含む信号からコンテンツデータをＭＰＥＧ方式のデータにエンコードする。
【００２９】
コンテンツ蓄積部５は、コンテンツデータとしての映像蓄積領域、３Ｄデータ蓄積領域、３Ｄ再生ソフトウェア、および３Ｄ・映像（コンテンツデータ）関連付けＤＢとを有しており、それぞれに対応するデータまたはソフトウェアを記憶する。
【００３０】
また、記録再生装置１は、図示しないリモコンから赤外線や電波などの無線、または有線を介してユーザの操作に基づく信号を入力するリモコン入力部６を備えている。リモコン入力部６から入力された信号は、操作入力部７に入力される。操作入力部７は、コンテンツデータとしての番組または３Ｄデータとを切り替える旨の信号を出力する番組・３Ｄ再生切替部７ａと、３Ｄデータが再生されている場合に３Ｄデータを操作する信号を出力する３Ｄデータ操作部７ｂと、コンテンツデータとしての映像が再生されている場合に映像の再生を操作する旨の信号を出力する映像再生操作部７ｃとを備えている。このような操作入力部７から出力された信号は、制御部８に入力される。なお、リモコンは、各種の操作ボタンやスティック式の操作部などを有していても良い。
【００３１】
制御部８は、操作入力部７から入力された信号に基づいて、ＭＰＥＧデコーダ９ａおよび３Ｄデータ再生部９ｂを制御する。すなわち、操作入力部７の映像再生操作部７ｃから制御部８に信号が入力された場合は、制御部８は、ＭＰＥＧデコーダ９ａを動作させ、コンテンツ蓄積部５からコンテンツデータを読み込ませて再生させる。また、操作入力部７の３Ｄデータ操作部７ｂから制御部８に信号が入力された場合は、制御部８は、３Ｄデータ再生部９ｂを動作させ、コンテンツ蓄積部５から３Ｄデータを読み込ませて再生させる。
【００３２】
コンテンツ送出部１０は、ＭＰＥＧデコーダ９ａまたは３Ｄデータ再生部９ｂのいずれか一方から出力されたデータを、テレビ信号出力部１０ａを介して表示部としてのＴＶ受像機へ送出する。なお、記録再生装置１は、電源部１１から電源の供給を受けて動作する。
【００３３】
図２は、記録再生装置が、番組のコンテンツデータと３Ｄデータとを受信して、コンテンツ蓄積部に記録した状態を示す概念図である。図２に示すように、コンテンツデータとしての番組を構成する要素データとして、映像データ１から映像データ４が区別して記録されている。また、３ＤデータＡから３ＤデータＧが区別して記録されている。これらの映像データと３Ｄデータとは、図２における関連付けＤＢによって、関連付けられている。
【００３４】
図３は、関連付けＤＢの構造を示す概念図である。映像データ情報としての領域には、映像データ１および映像データ２がそれぞれ区別して記録されている。これらの映像データは、時刻情報としての「関連付け表示開始時間および関連付け表示終了時間」によって、３Ｄデータに関連付けられている。例えば、映像データ２は、関連付け表示開始時間である０時間１分１０秒から関連付け表示終了時間である０時間３分２４秒までの時間帯で、３ＤデータＧに関連付けられている。すなわち、映像データ２が、上記時間帯で再生している間、３ＤデータＧがその映像データ２と切り替えて再生できることになっている。ユーザにより、上記時間帯で３Ｄデータが選択された場合は、コンテンツデータの再生を一時停止して、３ＤデータＧを読み出して再生することとなる。
【００３５】
このように、関連付けＤＢは、テーブルを有するので、コンテンツ蓄積部において、コンテンツデータの一部または全部の再生時間帯に対応する３Ｄデータを関連付けて記録することができる。これにより、記録および読み出しを簡易かつ迅速に行なうことが可能となる。
【００３６】
次に、以上のように構成された本実施の形態に係る記録再生装置の動作について説明する。図４は、本実施の形態に係る記録再生装置が、再生中のコンテンツデータの再生を一時停止して、そのコンテンツデータに関連する３Ｄデータ再生する場合の動作を示すフローチャートである。また、図５は、画面表示例を示す図である。まず、コンテンツデータとしての番組が再生されているものとする。すなわち、図１で示した操作入力部７の番組・３Ｄ再生切替部７ａより番組（コンテンツデータ）が再生されるように制御部８に対して信号が出力され、制御部８がＭＰＥＧデコーダ９ａを動作させる。ＭＰＥＧデコーダ９ａは、コンテンツ蓄積部５からコンテンツデータを読み出して再生する。そして、コンテンツ送出部１０は、ＭＰＥＧデコーダ９ａが再生したデータをＴＶ受像機へ送出する。
【００３７】
図５に示す画面５０のうち、画面表示５１のように、番組の内容が表示される。画面表示５１では、企業のオフィス内部の風景が表示されている。例えば、パソコン、オフィス用デスク、チェア、事務用品、観葉植物、オフィス家具、そして照明器具などである。このとき、この映像に関連する３Ｄデータが存在する場合は、３Ｄデータが存在することを示すサイン５１ａが同時に表示される（ステップＳ１）。次に、サイン５１ａが表示されている間に、ユーザがリモコンの３Ｄ操作キーを操作し、操作入力部７の番組・３Ｄ再生切替部７ａから切り替え信号が制御部８に出力されると（ステップＳ２）、番組の再生が一時停止する（ステップＳ３）。そして、３Ｄ選択画面がアクティブとなる（ステップＳ４）。図５における画面表示５２は、３Ｄ選択画面を示す。この３Ｄ選択画面の画面表示５２では、番組で表示した場面と関連付けられているものを表示する。画面表示５２では、広告情報として、パソコン、オフィス構造、およびオフィス用品の３Ｄデータが選択可能であることを示している。また、画面表示５２において「すべての情報を表示」を選択することが可能であり、これが選択されると、番組全体に関連した３Ｄデータをすべて表示することができる。
【００３８】
次に、ユーザがリモコンの３Ｄ選択キーを操作し、画面表示５２のうち、いずれかの項目を選択すると（ステップＳ５）、３Ｄ再生画面がアクティブとなる（ステップＳ６）。そして、ユーザがリモコンの３Ｄ操作キーを操作し、操作入力部７の３Ｄデータ操作部７ｂから制御部８へ信号が出力されると（ステップＳ７）、制御部８は、３Ｄデータ再生部９ｂを動作させ、３Ｄデータが再生される（ステップＳ８）。ここでは、画面表示５２において、「（広告）・パソコン」が選択されたとすると、画面表示５３ａのように、パソコンの３Ｄデータが表示される。また、そのパソコンの商品説明５３ｂを表示しても良い。ユーザは、リモコン操作により、３Ｄデータ操作部７ｂに信号を送って、このパソコンの外観を四方から眺めたり、機能説明に関するアニメーションを表示させたりすることができる。
【００３９】
すなわち、３Ｄデータの構成に応じて、商品を見る角度を変えたり、商品説明を行なう仮想的なアドバイザーをアニメーションで表示させたり、また、ホテルやコンサートホールに関する説明では、ホテルの部屋や観光地を表示して、ユーザに仮想的な体験を与えることも可能である。
【００４０】
次に、３Ｄデータが再生されている最中に、ユーザがリモコンの３Ｄ操作終了キーを操作し、操作入力部７の３Ｄデータ操作部７ｂから制御部８へ信号が出力されると（ステップＳ９）、制御部８は、３Ｄデータ再生部９ｂを停止させ、３Ｄデータの再生が終了する（ステップＳ１０）。そして、番組再生一時停止が解除され（ステップＳ１１）、番組・３Ｄ再生切替部７ａから制御部８に信号が出力されて、ＭＰＥＧデコーダ９ａが番組の再生を再開する。
【００４１】
図６は、本実施の形態に係る記録再生装置に対してコンテンツデータおよび３Ｄデータを送信するサーバ装置の概略構成を示すブロック図である。サーバ装置６０は、コンテンツデータ格納部６１において、映像データから構成される番組としてのコンテンツデータを格納する。また、３Ｄデータ・関連付けＤＢ格納部６２は、コンテンツデータと関連する３Ｄデータと、その関連付けを定める関連付けＤＢとを格納する。制御部６３は、通信インタフェース６４を介して、コンテンツデータと３Ｄデータおよび関連付けＤＢとをそれぞれ異なる帯域を使用して記録再生装置へ送信する。上述したように、例えば、コンテンツデータは通常の放送番組を送信する場合に使用される帯域を使用し、３Ｄデータは、例えば、文字放送で番組を送信する場合に使用される帯域を使用する。このように、文字放送などで使用されている帯域で３Ｄデータを送信することにより、わずかに空いている帯域を有効に活用することが可能となる。
【００４２】
また、本実施の形態に係る記録再生装置と、サーバ装置とにより、ユーザが、コマーシャルを自分のために自分で楽しむことが可能な、従来にはなかった新しい態様のコマーシャルを提供するＶＯＤシステムを実現することができる。なお、３Ｄデータを立体視フィルタと対応させて構成し、３Ｄデータを再生する際に、ユーザが立体視フィルタを装着すれば、飛び出す３Ｄ画像を体験させることもできる。これにより、コマーシャル情報に対するユーザの興味を掻き立てて、広告効果を高めることが可能となる。それと同時に、新しいエンターテインメントを提供することができるようになる。また、３Ｄデータを文字放送で使用する帯域で送信することにより、電車内に設けられているモニターや、タクシーに装備されているモニターなどにも表示することができる。
【００４３】
以上説明したように、本実施の形態によれば、コンテンツデータと、そのコンテンツデータに関連付けられた３Ｄデータとを受信して記録し、コンテンツデータまたは３Ｄデータのいずれか一方を再生するので、コマーシャルを３Ｄデータで構成することによって、新しい態様のコマーシャルを実現することができる。３Ｄデータは、通常のビデオデータと比較して、データ量が小さいため、わずかな帯域で送受信が可能である。また、３Ｄデータでは、アニメーション、テキスト、サウンドなどの情報を組み込むことができるので、ユーザ（視聴者）に対し、十分な情報を提供することが可能である。また、従来から、コマーシャルは不特定多数のユーザに対して提供されていたが、ユーザの操作を契機とした選択信号に基づいてコンテンツデータまたは３Ｄデータのいずれか一方が選択されるので、コマーシャルの情報を必要と考えたユーザに対してコマーシャルを提供することができる。
【図面の簡単な説明】
【００４４】
【図１】本実施の形態に係る記録再生装置の概略構成を示すブロック図である。
【図２】記録再生装置が、番組のコンテンツデータと３Ｄデータとを受信して、コンテンツ蓄積部に記録した状態を示す概念図である。
【図３】関連付けＤＢの構造を示す概念図である。
【図４】本実施の形態に係る記録再生装置が、再生中のコンテンツデータの再生を一時停止して、そのコンテンツデータに関連する３Ｄデータ再生する場合の動作を示すフローチャートである。
【図５】画面表示例を示す図である。
【図６】、本実施の形態に係る記録再生装置に対してコンテンツデータおよび３Ｄデータを送信するサーバ装置の概略構成を示すブロック図である。
【符号の説明】
【００４５】
１  記録再生装置
２  ＲＦ入力部
３  チューナ部
３ａ  ＱＡＭ／ＩＰ変換部
３ｂ  テレビチューナ
４ａ  抽出部
４ｂ  ＭＰＥＧエンコーダ
５  コンテンツ蓄積部
６  リモコン入力部
７  操作入力部
７ａ  番組・再生切替部
７ｂ  ３Ｄデータ操作部
７ｃ  映像再生操作部
８  制御部
９ａ  ＭＰＥＧデコーダ
９ｂ  ３Ｄデータ再生部
１０  コンテンツ送出部
１０ａ  テレビ信号出力部
１１  電源部
５０  画面
５１ａ  サイン
５１  画面表示
５２  画面表示
５３ａ  画面表示
５３ｂ  商品説明
６０  サーバ装置
６１  コンテンツデータ格納部
６２  ３Ｄデータ・関連付けＤＢ格納部
６３  制御部
６４  通信インタフェース
【図１】
2006303610.tif 000003
【図２】
2006303610.tif 000004
【図３】
2006303610.tif 000005
【図４】
2006303610.tif 000006
【図５】
2006303610.tif 000007
【図６】
2006303610.tif 000008